(57)【要約】【課題】送り端子台の大型化を抑制しつつも、端子部への配線やねじの増し締めを行い易くすること。【解決手段】配電機器の一極に対して複数の端子部２１，２２を備えた送り端子台１であって、前記複数の端子部は、互いに左右にずれた位置に設けられ、一方の端子部を、上面視で、隣接する異極端子部間を仕切る隔壁部３に重複するように配置した構成とする。【選択図】図２
2019009068.tif 000002
【特許請求の範囲】
【請求項１】
配電機器の一極に対して複数の端子部を備えた送り端子台であって、前記複数の端子部は、互いに左右にずれた位置に設けられ、一方の端子部を、上面視で、隣接する異極端子部間を仕切る隔壁部に重複するように配置した送り端子台。
【請求項２】
前記隔壁部は、左右にずらした上側隔壁部と下側隔壁部からなり、前記下側隔壁部は、隣接する異極端子側に張り出すように設けられ、前記一方の端子部が上面視で上側隔壁部に重複する位置に配置された請求項１に記載の送り端子台。
【請求項３】
複数の端子部は、前記一方の端子部が下側に位置するように、上下にずらして構成され、下側隔壁部を、隣接する異極の上側端子部に重複するように設けた請求項１又は２に記載の送り端子台。
【請求項４】
隔壁部は下側端子部の上方に傾斜部を備え、下側端子部に向かって延びる切り欠き部を前記傾斜部に設けた請求項１から３に記載の送り端子台。
【発明の詳細な説明】
【技術分野】
【０００１】
本発明は、送り端子台に関するものである。
【背景技術】
【０００２】
特許文献１に記載されているように、主幹ブレーカの端子部に複数の端子部を備えた端子板を形成する送り端子台を接続し、電圧を分岐する技術が知られている。送り端子台は１極の１つの端子部に複数の電線を接続することを防止するために、上側端子部と下側端子部を設けるのが一般的である。また、形状を小さくするために上側端子部と下側端子部を重複させるように配置している。
【先行技術文献】
【特許文献】
【０００３】
【特許文献１】特開２００２−４２９１８号公報
【０００４】
しかしながら、このような構造では、上側端子部に圧着端子などを固定した場合、この圧着端子が障害となり、下側の端子部への圧着端子の接続やねじの増し締めをすることができなかった。
【発明の概要】
【発明が解決しようとする課題】
【０００５】
本件の発明者は、この点について鋭意検討することにより、解決を試みた。本発明の課題は、送り端子台の大型化を抑制しつつも、端子部への配線やねじの増し締めを行い易くすることである。
【課題を解決するための手段】
【０００６】
上記課題を解決するため、配電機器の一極に対して複数の端子部を備えた送り端子台であって、前記複数の端子部は、互いに左右にずれた位置に設けられ、一方の端子部を、上面視で、隣接する異極端子部間を仕切る隔壁部に重複するように配置した送り端子台とする。
【０００７】
また、前記隔壁部は、左右にずらした上側隔壁部と下側隔壁部からなり、前記下側隔壁部は、隣接する異極端子側に張り出すように設けられ、前記一方の端子部が上面視で上側隔壁部に重複する位置に配置された構成とすることが好ましい。
【０００８】
また、複数の端子部は、前記一方の端子部が下側に位置するように、上下にずらして構成され、下側隔壁部を、隣接する異極の上側端子部に重複するように設けた構成とすることが好ましい。
【０００９】
また、隔壁部は下側端子部の上方に傾斜部を備え、下側端子部に向かって延びる切り欠き部を前記傾斜部に設けた構成とすることが好ましい。
【発明の効果】
【００１０】
本発明では、送り端子台の大型化を抑制しつつも、端子部への配線やねじの増し締めを行い易くすることが可能となる。
【図面の簡単な説明】
【００１１】
【図１】実施形態の送り端子台の斜視図である。
【図２】実施形態の送り端子台の正面図である。
【図３】実施形態の送り端子台が組み込まれた分電盤の内機の正面図である。
【図４】背面側から見た実施形態の送り端子台の斜視図である。
【図５】上側端子部と下側端子部が接続された端子板の斜視図である。
【図６】図５とは別の角度から見た、上側端子部と下側端子部が接続された端子板の斜視図である。
【図７】入力側配線と送り側配線が接続された端子台の斜視図である。
【図８】端子カバーを取り付けた送り端子台の斜視図である。
【図９】実施形態の送り端子台の上面視図である。
【発明を実施するための形態】
【００１２】
以下に発明を実施するための形態を示す。図１乃至図３に示されていることから理解されるように、本実施形態の送り端子台１は、端子ねじである複数の端子部２１，２２を有する端子板５が配電機器９の一極に対して接続されるものである。この複数の端子部２１，２２は、各々の端子部２１，２２が左右にずれた位置に設けられており、一方の端子部２２を、上面視で、隣接する異極端子部間を仕切る隔壁部３に重複するように配置している。このため、送り端子台１の大型化を抑制しつつも、端子部２１，２２への配線（電線に形成した圧着端子７５の接続）やねじの増し締めを行い易くすることが可能となる。
【００１３】
以下、開閉器である主幹ブレーカの電源側に接続される一次送り端子台１を例にして説明する。複数の端子部２１，２２を有する端子板５が配電機器９の一極に対して接続されるものであるが、図１などに示すように、本実施形態では三極分の端子部を備えた構成である。また、隣接する端子部間には隔壁部３を設けており、この隔壁部３が隣接する端子部間を絶縁する。
【００１４】
本実施形態の送り端子台１は、配電機器９である主幹ブレーカに接続されており、分電盤の一部となっている。この主幹ブレーカの一次側には送り端子台１の端子部２１を介して入力側配線７１が接続されている。この入力側配線７１は商用電源に接続されている。図３に示すことから理解されるように、本実施形態の分電盤は主幹ブレーカの二次側に複数の分岐ブレーカ６２が取り付けられている。また、主幹ブレーカの一次側に接続される一次送り用ブレーカ６３を備えており、主幹ブレーカと一次送り用ブレーカ６３は送り端子台１の端子部２２を介して送り側配線７２により接続されている。
【００１５】
図４に示すように、送り端子台１は、開閉器と対向する位置に通気孔１９となる開口部を複数形成し、開閉器の排気口から開閉器の接点開離時に発生するアークガスの排気を可能としている。
【００１６】
図５及び図６に示すように、本実施形態の端子部は端子板５に接続されている。端子板５は上側端子部２１と下側端子部２２が接続されるように後方向視で略ユ字状に構成されている。より詳しくは、端子板５は上側端子部２１が接続される上側端子座５１と、下側端子部２２が接続される下側端子座５２と、上側端子座５１と下側端子座５２とを連結する連結部５３を備えている。なお、本実施形態では、上側端子座５１と下側端子座５２が平行となるように構成されている。
【００１７】
連結部５３は送り端子台１の通気孔１９を塞がないように形成されている。本実施形態では図１及び図２に示すことから理解されるように、平板を屈曲させた端子板５は平板状の面が前後方向に向かないように配置され、開閉器の排気口からの排気を可能としている。
【００１８】
端子板５には略Ｕ字状の接続部５４を備えている。この接続部５４は上側端子座５１から突出するように設けられている。図３に示す例では、この接続部５４が主幹ブレーカの一極に接続されている。
【００１９】
上側端子部２１と下側端子部２２は、それぞれ、上下、左右、前後にずらして配置されている。また、上側端子部２１と下側端子部２２は前後方向にのみ重複するように配置されている。つまり、上側端子部２１と下側端子部２２は左右方向に重複しないように配置されているため、図７に示すように、上側端子部２１に圧着端子７５が接続された場合でも、圧着端子７５を回避しながら工具を下側端子部２２に接近させて操作することができる。なお、上側端子部２１と下側端子部２２は前後方向には重複しているため、送り端子台１が前後方向に長くなることを抑えることが可能となる。
【００２０】
図１などに示すことから理解されるように、本実施形態では、上側端子部２１は下側端子部２２よりサイズの大きいねじとしている。したがって上側端子部２１は、許容電流が大きい電線を接続することが可能となる。なお、下側端子部２２は、送り用のものであり、例えば、感震リレーや計測装置や主幹ブレーカがトリップした場合でも電灯が消えないようにするための非常用電灯用のブレーカ等が接続される。このように、主幹ブレーカの負荷側に接続される複数の分岐ブレーカ６２よりも容量が大きい配電機器が接続されないため、上側端子部２１に接続される電線よりも許容電流の小さい電線が接続されるものであっても構わない。
【００２１】
図９に示すように、本実施形態の隔壁部３は、上面視で、上側端子部２１から下側端子部２２の左右を囲うように設けられている。また、上面視で、下側端子部２２の側方に位置する部位は、下側端子部２２に向かう方向に傾斜するように傾斜部３１が構成されている。例えば、傾斜部３１を形成していない場合には上端部には角部が生じるが、この角部は一番強度が弱くなる部分である。太いケーブルに備えられた圧着端子７５を端子部に接続する際、ケーブルが、この角部を破損させてしまう虞がある。このため、開放端部を傾斜状に構成している。
【００２２】
また、隔壁部３の傾斜部３１には、上面視で、下側端子部２２の側方に位置する部位に切り欠き部３２を備えている。この切り欠き部３２は下側端子部２２の締め付けを行うドライバなどの工具を挿入させるスペースを確保するために設けられたものであり、下側端子部２２に向かって延びるように設けられている。この切り欠き部３２があることで、下側端子部２２の締め付けなどを行う際、工具を切欠部３２の上方または後側から挿入し下側端子部２２に近づけることが容易となる。このように、下側端子部２２を隔壁部３の切り欠き部３２から露出させることで、電線を接続するための工具を通過可能としているため、電線の接続または接続後の増し締めの確認をする際のアクセスが可能となっている。
【００２３】
隔壁部３は上側隔壁部３ａと下側隔壁部３ｂからなり、互いに左右にずらして形成してなり、下側隔壁部３ｂは、隣接する異極の上側端子部２１側に張り出すように設けられ、詳しくは、異極の上側端子部２１の下方に位置するように延びている。つまり、上面視では、隔壁部３の下側隔壁部３ｂと隣接する異極の上側端子部２１が上下方向、または、前後方向に一部重複するように配置される。このような構成とする為、隔壁部３は、後方向視で略クランク形状としている。下側端子座５２はクランク状の隔壁部３まで延びるように配置されており、下側隔壁部３ｂが下側端子座５２の一部を覆うような構成となる。このため上面視では、下側端子部２２と上側隔壁部３ａとが上下方向または前後方向に一部重複する位置に配置される。なお、下側端子部２２を覆うように形成される下側隔壁部３ｂが異極の上側端子部２１と一部重複するような構成とすることで、送り端子台１の左右方向のサイズの拡大を抑制することが可能となる。また、本実施形態の傾斜部３１は上側隔壁部３ａに形成されているものである。
【００２４】
隔壁部３には下側端子座５２の上下方向の移動を規制する押さえ部３４を備えている。なお、上下の端子座は隔壁部３に当接して左右方向への移動が規制されている。また、接続部５４が通過される孔部６９により端子部の浮き上がり等が防止できる。なお、前後方向に対しては端子ねじの端子部２１、端子部２２を上側端子座５１、下側端子座５２を介して送り端子台１に固定することによって移動を防止している。
【００２５】
本実施形態の送り端子台１は、図８に示すように、上側端子部２１などを上方から覆う端子カバー８を取り付けることができる。本実施形態では送り端子台１の端部に設けた端子カバー支持部１８などを用いることで、端子カバー８が抜け落ちることを抑制している。なお、この端子カバー支持部１８は端子カバー８を差し込むことができる凹部を備えている。
【００２６】
以上、一つの実施形態を中心に説明してきたが、本発明は上記実施形態に限定されることはなく、各種の態様とすることが可能である。例えば、実施形態では送り端子台は主幹ブレーカの電源側に接続する一次送り端子台であるが、負荷が接続される負荷側に形成する二次送り端子台としても良い。
【符号の説明】
【００２７】
１    送り端子台
３    隔壁部
３ａ  上側隔壁部
３ｂ  下側隔壁部
９    配電機器
２１  上側端子部
２２  下側端子部
３１  傾斜部
３２  切り欠き部
【図１】
2019009068.tif 000003
【図２】
2019009068.tif 000004
【図３】
2019009068.tif 000005
【図４】
2019009068.tif 000006
【図５】
2019009068.tif 000007
【図６】
2019009068.tif 000008
【図７】
2019009068.tif 000009
【図８】
2019009068.tif 000010
【図９】
2019009068.tif 000011